(57)【要約】【課題】送風ファンを駆動するファンモータをＤＣモータもしくはＡＣモータのいずれかを用いることができる空気調和機を提供する。【解決手段】本体パネル１１で覆われた筐体１０の内部に、送風ファン１７と、同送風ファン１７を軸支して駆動するファンモータ３と、ファンモータ３の側方に電装品箱４を備え、ファンモータ３は、ＤＣモータもしくはＡＣモータ３１のいずれかが用いられ、ＡＣモータ３１が用いられる場合は、キャパシタ本体５１を収納したキャパシタボックス５を電装品箱４の底面４３１に取り付ける。【選択図】図４
2015158320.tif 000002
【特許請求の範囲】
【請求項１】
本体パネルで覆われた筐体の内部に、送風ファンと、同送風ファンを軸支して駆動するファンモータと、前記ファンモータの側方に電装品箱を備えた空気調和機において、
前記ファンモータは、ＤＣモータもしくはＡＣモータのいずれかが用いられ、前記ＡＣモータが用いられる場合は、キャパシタ本体を収納したキャパシタボックスを前記電装品箱の底面に取り付けることを特徴とする空気調和機。
【請求項２】
前記キャパシタボックスは板金で形成され、前記キャパシタ本体を囲むキャパシタ台と、前記キャパシタ台の開放面を覆うキャパシタカバーとを有することを特徴とする請求項１に記載の空気調和機。
【請求項３】
前記キャパシタ台は、上面に前記電装品箱の底面に取り付ける切片部を備えたことを特徴とする請求項１または２に記載の空気調和機。
【発明の詳細な説明】
【技術分野】
【０００１】
本発明は空気調和機におけるキャパシタの取付構造に関するものである。
【背景技術】
【０００２】
従来の空気調和機の室内機は、送風ファンの駆動にファンモータが使われている。（特許文献１参照）
【０００３】
そしてファンモータはインバータによって駆動され、回転数の可変制御が行われるＤＣモータが使われている。
【先行技術文献】
【特許文献】
【０００４】
【特許文献１】特開２００９−１６８３８５号公報
【発明の概要】
【発明が解決しようとする課題】
【０００５】
昨今はコストダウンのため、ＤＣモータではなく一定速のＡＣモータで送風ファンを駆動させる空気調和機も必要とされている。そこで、筐体の金型代や部品コストや設計費を掛けずに済むようにＤＣモータに合わせ設計された空気調和機の筐体にＡＣモータも搭載させたいが、ＡＣモータには起動時に異なる位相を発生させて起動を促すキャパシタ（所謂進相コンデンサ）が必要となる。このため従来のＤＣモータに合わせて設計された空気調和機の筐体にＡＣモータを搭載することはできなかった。
【０００６】
本発明は以上述べた問題点を解決し、ＤＣモータ用の筐体にＡＣモータも搭載可能となり、筐体の共通化を図ることができる空気調和機を提供することを目的とする。
【課題を解決するための手段】
【０００７】
上述した課題を解決するために本発明は、本体パネルで覆われた筐体の内部に、送風ファンと、同送風ファンを軸支して駆動するファンモータと、前記ファンモータの側方に電装品箱を備えた空気調和機において、前記ファンモータは、ＤＣモータもしくはＡＣモータのいずれかが用いられ、前記ＡＣモータが用いられる場合は、キャパシタ本体を収納したキャパシタボックスを前記電装品箱の底面に取り付けることを特徴とする。
【０００８】
また、前記キャパシタボックスは板金で形成され、前記キャパシタ本体を囲むキャパシタ台と、前記キャパシタ台の開放面を覆うキャパシタカバーとを有することも含まれる。
【発明の効果】
【０００９】
上記のように構成した本発明の空気調和機は、電装品箱の底面にキャパシタ本体を収納したキャパシタボックスを取り付け可能とすることで、送風ファンを駆動させるファンモータをＤＣモータもしくはＡＣモータのいずれかを用いることができる空気調和機となり、筐体の共通化を図ることができる空気調和機となる。
【図面の簡単な説明】
【００１０】
【図１】本発明による空気調和機の室内機の斜視図である。
【図２】本発明による空気調和機の室内機の分解図である。
【図３】本発明による空気調和機の室内機の電装品箱周辺の斜視図である。
【図４】キャパシタボックスの分解図である。
【図５】キャパシタボックスの断面図である。
【発明を実施するための形態】
【００１１】
以下、本発明を実施するための形態を、添付図面に基づいた実施例として詳細に説明する。
【実施例１】
【００１２】
本発明に係る空気調和機は、屋外に設置された室外機（図示なし）と、空調室内に設置される室内機１と冷媒配管を介して接続されて冷凍サイクルを構成する。
【００１３】
図１は本発明による空気調和機の室内機１の斜視図で、図２は分解図である。室内機１は横長の矩形状の筐体１０でなり、筐体１０は背面以外を本体パネル１１で覆われる。本体パネル１１の上面には吸込口１２が設けられ、前面側の底面には吹出口１３が設けられ、吹出口１３には吹き出された空気の吹き出し方向を調整する上下風向板１４が備わる。吹出口１３の右横には表示部１５を備える。
本体パネル１１には本体パネル１１の前面を覆う前面グリル１６が取り付けられる。
【００１４】
尚、図１において室内機１の前面グリル１６のある面を前面とし、前面の対面を背面とし、吸込口１２のある面を上面とし、上面の対面を底面とし、表示部１５の近傍の側面を右側面とし、右側面の対面を左側面として説明する。また、個々の部品においても、室内機１に取り付けた状態での方向で説明する。
【００１５】
筐体１０の内部には筐体１０と平行に配置されたクロスフローファン型の送風ファン１７と、送風ファン１７の片側を軸支して駆動するファンモータ３と、送風ファン１７の周囲を囲む熱交換器１８とを備える。ファンモータ３はケーシング１９に支えられる。ケーシング１９は吸込口１２と吹出口１３を結ぶ送風路２０を形成し、且つケーシング１９の前面側と背面側に熱交換器１８のドレン水を受ける前ドレンパン１９ａ、後ドレンパン１９ｂを備える。ケーシング１９の後ドレンパン１９ｂには背板２１が固定され、背板２１の左右端に取り付ける熱交換器取付板２２もケーシング１９に固定される。熱交換器１８は前ドレンパン１９ａと後ドレンパン１９ｂに位置を合わせ熱交換器取付板２２に固定される。また熱交換器取付板２２はケーシング１９に支持されたファンモータ３の上端側を押さえる。
【００１６】
室内機１はファンモータ３により送風ファン１７が回転することで吸込口１２から取り入れられた室内空気を、熱交換器１８で冷媒と熱交換して冷気または暖気に変え送風路２０を流通して吹出口１３から上下風向板１４で風向調整をして空調室に吹き出す。
【００１７】
図２乃至図５に示すように筐体１０の右側面側の内部で、ファンモータ３の右側方の上部に空気調和機を制御する各種電装部品を収納した電装品箱４を備える。電装品箱４も熱交換器取付板２２に固定される。電装品箱４の前方下部には上下風向板１４を駆動するためモータ１４ａが配置されている。よって、電装品箱４の前面側の幅を広げると筐体の左右幅が大きくなるため、電装品箱４は前面側の幅を狭くし、奥行を本体パネル１１の右側面に沿って背面側まで伸ばした箱型状となっている。
【００１８】
電装品箱４は難燃性樹脂で形成され内部に電装部品と制御基板４１が収納される電装ケース４２と、電装ケース４２の熱交換器１８側を覆う板金でなり電装部品から発火した場合に火が外部へ飛び移るのを防ぐ電装品箱カバー４３とで構成される。電装ケース４２の前面側には、電源や制御信号を室内機１内部や室外機へ供給する電源線を接続する端子台を取り付ける端子台ケース４５が設けられている。また、電装ケース４２は前面下方に延出し、電装ケース４２の前面下部には前述した表示部１５の光源とリモコンの受光部（いずれも図示なし）を取り付けて制御する表示基板４６が取り付けられている。端子台ケース４５と表示基板４６の間は室外機用配線が通過する室外機用配線通路４７となる。
【００１９】
電装ケース４２の制御基板４１と端子台ケース４５の右側面側は、板金でなる燃焼防止板を内側に備えた電装品箱蓋４４で隙間なく遮蔽され、電装部品から発火した場合に火が外部へ飛び移るのを防いでいる。
また、端子台ケース４５の前面側は、板金でなる燃焼防止板を内側に備えたコネクタカバー４８で遮蔽され、端子台から発火した場合に火が外部へ飛び移るのを防いでいる。
【００２０】
図２に示す室内機１の筐体１０は本来、ファンモータ３にＤＣモータ（図示なし）を用いて送風ファン１７を駆動させるものである。ＤＣモータは制御基板４１から出力された信号よって回転数を細かく制御することができ、インバータ制御の空気調和機には広く使われているモータである。しかし、ＤＣモータおよびそれを制御するための制御基板４１は部品コストが掛るものである。
【００２１】
また、昨今はインバータ制御を必要とせずに価格を抑えた空気調和機も市場では必要とされている。そこで、キャパシタを用いるＡＣモータを従来のＤＣモータを搭載できる筐体１０に搭載可能としたいが、電装品箱４は前述したように内部は制御基板４１が収納されており、新たにキャパシタを取り付けるように改造するには設計コストが発生する。
【００２２】
また、筐体１０にはファンモータ３の右側で電装品箱４の電装品箱カバー４３の底面４３１側で端子台ケース４５と室外機用配線通路４７の背面側に電源線を引き回す空間Ａがある。そこで空間Ａにキャパシタ本体５１を収納したキャパシタボックス５を収める。キャパシタボックス５は、電装品箱カバー４３の底面４３１に取り付けられる。
【００２３】
キャパシタボックス５は板金で形成され、キャパシタ本体５１を囲むキャパシタ台５２と、キャパシタ台５２の開放面を覆うキャパシタカバー５３とを有する。キャパシタ本体５１を板金で囲むことで、キャパシタ本体５１から発火した場合に火が外部へ飛び移るのを防いでいる。
【００２４】
キャパシタ台５２は左側面板５２１と左側面板５２１から直角に折曲して形成された前面板５２２と背面板５２３と底面板５２４とからなり右側面側と上面側が開放面となる箱型であり、左側面板５２１の上端に電装品箱カバー４３の底面４３１に溶接により取り付けられる切片部５２ｂを備える。切片部５２ｂには電装品箱カバー４３の底面４３１に設けたボス４３ａに位置合わせをするボス受部５２ｂ１がある。また後述するネジ６を受けるネジ孔５２ｂ２がある。切片部５２ｂの下で左側面板５２１の上方には開口部５２ｃを備える。また、前面板５２２と背面板５２３の中央には板金を突出させて形成した爪部５２ｄを備える。また、キャパシタ台５２の底面板５２４の縁には後述する端子５１ｃに接続する配線７を通す配線引出口５２ｅがある。
【００２５】
キャパシタ本体５１は本体部５１ａと、本体部５１ａ上端でキャパシタ台５２側に延出しネジ挿通孔５１ｂ１を備えた取付部５１ｂと、本体部５１ａの底面に端子５１ｃを備える。
【００２６】
キャパシタカバー５３はキャパシタ台５２の開放面を覆い隠すように右側面板５３１と右側面板５３１から直角に折曲して形成された上面板５３４と前面板５３２と後面板５３３とを備える。前面板５３２と後面板５３３には前述した爪部５２ｄを引掛けて留める受部５３ａがある。
【００２７】
次に図４と図５を基にキャパシタボックス５の組立と取付について説明する。先に組み立てられた電装品箱４の電装品箱カバー４３の底面４３１のボス４３ａにキャパシタ台５２の切片部５２ｂのボス受部５２ｂ１を合わせることで位置決めして切片部５２ｂを底面４３１にスポット溶接により固定する。
次にキャパシタ本体５１の取付部５１ｂをキャパシタ台５２の開口部５２ｃに挿通し、開口部５２ｃから突出した取付部５１ｂのネジ挿通孔５１ｂ１と切片部５２ｂのネジ孔５２ｂ２をネジ６で固定する。次に、電装品箱４の制御基板４１から引き出された配線７を電装ケース４２のフック部４２ａに掛けながらキャパシタ台５２の配線引出口５２ｅからキャパシタ台５２の内部に引き込みキャパシタ本体５１の端子５１ｃに接続する。
そして、キャパシタカバー５３をキャパシタ台５２に被せ、受部５３ａを爪部５２ｄに引掛けて留める。この時、配線７はキャパシタ台５２の配線引出口５２ｅに収まりその上にキャパシタカバー５３の右側面板５３１が被ることで隙間が少なくなる。
【００２８】
キャパシタボックス５を取り付けた電装品箱４を熱交換器取付板２２に固定しても、キャパシタボックス５は空間Ａの中に納まり、電装品箱４の右側面から突出することはなく、筐体１０の大きさやキャパシタボックス５の周囲の部品に影響を与えることはない。
【００２９】
また、ファンモータ３にＤＣモータ（図示しない）を用いる場合は、当然のことながらキャパシタボックス５を取り付けない。
【００３０】
上記の構成により、本発明による空気調和機の室内機１は、筐体１０の構造を変えることなく送風ファン１７を軸支して駆動するファンモータ３として、ＤＣモータもしくはＡＣモータ３１のいずれかを用いることができ、筐体１０の共通化を図れる。また、これにより、部品コストや設計費のコストダウンを図ることができる空気調和機の室内機１となる。
【符号の説明】
【００３１】
１：室内機、１０：筐体、１１：本体パネル、１７：送風ファン
３：ファンモータ、３１：ＡＣモータ
４：電装品箱、４３：電装品カバー、４３１：底面
５：キャパシタボックス、５１：キャパシタ本体、５１ａ：本体部、５１ｂ：取付部、５１ｃ：端子、５２：キャパシタ台、５２ｂ：切片部、５２ｃ：開口部、５２ｄ：爪部、５２ｅ：配線引出口、５３：キャパシタカバー、５３ａ：受部
６：ネジ
７：配線
【図１】
2015158320.tif 000003
【図２】
2015158320.tif 000004
【図３】
2015158320.tif 000005
【図４】
2015158320.tif 000006
【図５】
2015158320.tif 000007